(57)【要約】【課題】  内側にアンダーカット部を有する樹脂成形品の連続成形。【解決手段】  一対のスライドコア６が可動側受板５上を摺動するように可動側型板４内に配設され、そこにキャビブロック７が結合されている。一対の対向する内スライドコア１１は、支持部１１ａが型開閉方向と垂直方向に移動可能に固定側型板２内に組み込まれており、先端は成形品９の内側に形成される成形品９のアンダーカット部９ａに嵌入する突部１１ｂを有してキャビティ８内に臨んでいる。テーパー部を有する中央コア１２が固定側受板３に固定されて先端部が内スライドコア１１内に挟入している。キャビブロック７内に配設された押しピン１３はコイルバネ１４により付勢されて内スライドコア１１を閉じる方向に押圧している。【選択図】      図１
2008162213.tif 000002
【特許請求の範囲】
【請求項１】
固定側金型と可動側金型とから成るキャビティにより内側にアンダーカット部を有する樹脂成形品を成形する射出成形金型であって、前記成形品のアンダーカット部に嵌入する突部を有した一対の内スライドコアが閉じる方向に付勢されて型開閉方向と垂直方向に移動可能に固定側型板に支持されて前記キャビティ内に臨んでおり、固定側受板に固定された中央コアが挟入することにより前記内スライドコアが開くように構成された射出成形金型において、一対のスライドコア上にコイルバネによって突き出し方向に付勢された押しピンを収納したキャビブロックを配設し、前記押しピンが前記内スライドコアを外側から押圧するようにしたことを特徴とする射出成形金型。
【請求項２】
前記押しピンは前記スライドコアが開いたときに前記キャビブロックとともに前記成形品から後退することを特徴とする請求項１記載の射出成形金型。
【発明の詳細な説明】
【技術分野】
【０００１】
本発明は、射出成形金型に関し、更に詳しくは内側にアンダーカット部を有する成形品の成形のための射出成形金型の内抜き構造に関する。
【背景技術】
【０００２】
近年、各種工業製品において材料特性の改善、部品製造の容易化、組立の容易化、軽量化、低価格化等を目的としてプラスチック成形品が多用され、射出成形機を用いて量産されている。このようなプラスチック成形品の中には、例えばボトルキャップや自動車のコンソールボックスのように、内側にアンダーカット部を有するものがある。このような成形品を成形する際には内スライドコアを有する射出成形金型が用いられる（例えば、特許文献１参照。）。
【０００３】
このようなプラスチック成形品を成形する射出成形金型の一例を図面により説明する。図４は従来の射出成形金型の主要部を示している断面図である。図４に示すように、射出成形金型５１は固定側金型と可動側金型とから成り、固定側金型と可動側金型との分割面であるパーティングラインＰＬ１から上の固定側金型には固定側型板２及び固定側受板３が積層されている。固定側型板２には可動側キャビブロック５７とともにキャビティ８を形成する固定側キャビブロック２１と、固定側キャビティスペーサＡ２２及び固定側キャビティスペーサＢ２３が組み込まれている。固定側型板２と固定側受板３との分割面はパーティングラインＰＬ２となっている。
【０００４】
パーティングラインＰＬ１から下の可動側金型の主要部には、内側にキャビティ８、外側に可動側キャビブロック５７が、可動側受板キャビティスペーサ５に組み込まれ、可動側型板４部を形成している。キャビティ８において成形される成形品９は、細長い円筒状で片方が封止されていて内壁に溝がある形状である。
【０００５】
一対の対向する内スライドコア１１はその支持部１１ａが固定側キャビブロック２１と固定側キャビティスペーサＢ２３とに挟まれて固定側キャビティスペーサＡ２２内に型開閉方向と垂直な方向に摺動可能に組み込まれており、コイルバネ１５によって互いに閉じる方向に付勢されている。また、内スライドコア１１の駆動範囲は支持部１１ａに固定されたボルト１６によって規制されている。内スライドコア１１の先端はキャビティ８内に臨んでおり、そこには成形品９の内側に形成されたアンダーカット部９ａに嵌入する突部１１ｂを有している。
【０００６】
テーパー形状の先端部を有する中央コア１２が固定側受板３に固定されており、中央コア１２の先端部は内スライドコア１１の中に狭入し、内スライドコア１１の先端部と一体になって円柱形状を成している。その他の細部の構成は本発明には関わりが少ないので説明を省略する。
【０００７】
次に、この射出成形金型の成形動作について説明する。まず、キャビティ８内に溶融樹脂を射出して一定時間圧力を保ちながら樹脂が冷却硬化したところで、図５、図６に示すように型開きをする。図５は、パーティングラインＰＬ２において、固定側受板３が固定側型板２から離れたところを示す射出成形金型５１の要部断面図である。図６は成形品９を取り出すために、可動側金型が移動してパーティングラインＰＬ１が開き始めたところを示す射出成形金型５１の要部断面図である。
【０００８】
図５に示すように、固定側受板３が固定側型板２から離れると、中央コア１２が内スライドコア１１から引き抜かれて、内スライドコア１１が閉じる方向に支持部１１ａが移動する。このとき、支持部１１ａにおける摺動力が内スライドコア１１の先端まで及ばないためにアンダーカット部９ａでは内スライドコア１１の突部１１ｂが成形品９に密着したまま離型するに至らない。その状態で、図６に示すように、パーティングラインＰＬ１が開いて可動側金型が移動するにつれて、成形品９が内スライドコア１１によってキャビティ８から引き抜かれることになる。
【特許文献１】特開２００１−１６２６２７号公報（図１〜図６）
【発明の開示】
【発明が解決しようとする課題】
【０００９】
しかしながら、以上説明したように、従来の射出成形金型５１においては、支持部１１ａにおける摺動力が内スライドコア１１の先端まで及ばないために、図５に２点鎖線の楕円で示すようにアンダーカット部９ａを有する成形品９が離型できずに固定側金型に取り残されてしまい、連続成形ができなくなるという問題があった。
【００１０】
上記発明は、このような従来の問題を解決するためになされたものであり、その目的は、内側にアンダーカット部を有する樹脂成形品の連続成形を可能にする射出成形金型を提供することである。
【課題を解決するための手段】
【００１１】
前記課題を解決するための本発明の手段は、固定側金型と可動側金型とから成るキャビティにより内側にアンダーカット部を有する樹脂成形品を成形する射出成形金型であって、前記成形品のアンダーカット部に嵌入する突部を有した一対の内スライドコアが閉じる方向に付勢されて型開閉方向と垂直方向に移動可能に固定側型板に支持されて前記キャビティ内に臨んでおり、固定側受板に固定された中央コアが挟入することにより前記内スライドコアが開くように構成された射出成形金型において、一対のスライドコア上にコイルバネによって突き出し方向に付勢された押しピンを収納したキャビブロックを配設し、前記押しピンが前記内スライドコアを外側から押圧するようにしたことを特徴とする。
【００１２】
また、前記押しピンは前記スライドコアが開いたときに前記キャビブロックとともに前記成形品から後退することを特徴とする。
【発明の効果】
【００１３】
以上説明したように、本発明によれば、固定側金型と可動側金型とから成るキャビティにより内側にアンダーカット部を有する樹脂成形品を成形する射出成形金型であって、前記成形品のアンダーカット部に嵌入する突部を有した一対の内スライドコアが閉じる方向に付勢されて型開閉方向と垂直方向に移動可能に固定側型板に支持されて前記キャビティ内に臨んでおり、固定側受板に固定された中央コアが挟入することにより前記内スライドコアが開くように構成された射出成形金型において、一対のスライドコア上にコイルバネによって突き出し方向に付勢された押しピンを収納したキャビブロックを配設し、前記押しピンが前記内スライドコアを外側から押圧するようにしたので、アンダーカット部を内側に有する樹脂成形品の連続射出成形が可能となり、手番短縮など大幅な成形品のコストダウンを達成できるようになった。
【００１４】
また、前記押しピンは前記スライドコアが開いたときに前記キャビブロックとともに前記成形品から後退するようにしたので、押しピンが成形品から後退して成形品の取り出しができるようになった。
【発明を実施するための最良の形態】
【００１５】
以下、本発明の実施の形態を図面に基づいて詳細に説明する。図１は本発明の実施の形態である射出成形金型の要部断面図、図２、図３はこの射出成形金型の動作を説明する要部断面図である。
【００１６】
まず、図１により、本発明の実施の形態である射出成形金型の構成について説明する。図１において、射出成形金型１において従来の射出成形金型５１と同じ構成要素には同じ名称と符号とを付して説明を省略する。可動側型板４内には一対のキャビブロック７が可動側受板５上を摺動する一対のスライドコア６に配設されている。キャビティ８は固定側型板２及びキャビブロック７及び可動側受板５により形成されている。
【００１７】
固定側受板３にはスライドコア６を動作させる一対の開閉ピン１０が固定されている。押しピン１３はキャビブロック７内に配設されて先端が内スライドコア１１に当接して内スライドコア１１を閉じる方向に押圧している。コイルバネ１４が押しピン１３の後部に嵌挿されて押しピン１３をキャビティ８内に突出する方向に付勢している。
【００１８】
次に、図２及び図３を参照してこの射出成形金型による成形動作を説明する。固定側金型と可動側金型とが閉じて、溶融樹脂がキャビティ８内に注入され一定時間圧力が保たれた後、樹脂が冷却されて硬化し成形品９が成形される。次いで、図２に示すように、固定側受板３が固定側型板２から離れるようにパーティングラインＰＬ２が開く。中央コア１２が内スライドコア１１から引き抜かれると、内スライドコア１１の支持部１１ａが矢印方向に移動すると同時に、コイルバネ１４により付勢されている押しピン１３が内スライドコア１１を矢印方向に押しているから、２点鎖線の楕円で示すように内スライドコア１１が成形品９から離型する。
【００１９】
引き続いて、図３に示すように、可動側金型が移動してパーティングラインＰＬ１が開くと内スライドコア１１がキャビティ８から引き抜かれる。可動側金型の移動に伴い、開閉ピン１０の作用によってスライドコア６が開くので押しピン１３が成形品９から後退して成形品９が可動側金型のキャビティ８内に残される。成形品９が取り出されると、金型は開いたときと逆の順序で閉じられ、次回の成形に備えられる。
【００２０】
次に、本発明の実施の形態である射出成形金型の効果について説明する。スライドコア６に押しピン１３を配設して、コイルバネ１４によって押しピン１３が内スライドコア１１を外側から閉じる方向に押しつけているので、パーティングラインＰＬ２が開いたときに内スライドコア１１を成形品９から離型させることができる。これにより成形品９が可動側金型に残るのでアンダーカット部を有する樹脂成形品の連続射出成形が可能となる。
【産業上の利用可能性】
【００２１】
本発明の射出成形金型はアンダーカット部を有する成形品の射出成形に広く適用できる。
【図面の簡単な説明】
【００２２】
【図１】本発明の実施の形態である射出成形金型の要部断面図である。
【図２】本発明の実施の形態である射出成形金型の動作を説明する要部断面図である。
【図３】本発明の実施の形態である射出成形金型の動作を説明する要部断面図である。
【図４】従来の射出成形金型の要部断面図である。
【図５】図４の射出成形金型の動作を説明する要部断面図である。
【図６】図４の射出成形金型の動作を説明する要部断面図である。
【符号の説明】
【００２３】
１  射出成形金型
６  スライドコア
７  キャビブロック
８  キャビティ
９  成形品
９ａ  アンダーカット部
１１  内スライドコア
１１ｂ  突部
１２  中央コア
１３  押しピン
１４  コイルバネ
【図１】
2008162213.tif 000003
【図２】
2008162213.tif 000004
【図３】
2008162213.tif 000005
【図４】
2008162213.tif 000006
【図５】
2008162213.tif 000007
【図６】
2008162213.tif 000008